【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
フレームのサブフレームの第１のセットを含む第１のチャネル状態情報（ＣＳＩ）サブフレームセットと、前記フレームのサブフレームの第２のセットを含む第２のＣＳＩサブフレームセットとを決定することと、サブフレームの前記第１のセット中のサブフレームがサブフレームの前記第２のセット中のサブフレームとは異なる、
前記第１のＣＳＩサブフレームセットおよび前記第２のＣＳＩサブフレームセットのうちの１つにおいてＣＳＩ参照サブフレームを決定することと、ここにおいて前記ＣＳＩ参照サブフレームは、無線リソース制御（ＲＲＣ）シグナリングを通して前記ＣＳＩ参照サブフレームの半静的構成を受信することによって、または前記ＣＳＩ参照サブフレームが、前記第１のＣＳＩサブフレームセットまたは前記第２のＣＳＩサブフレームセット内の第１のダウンリンクサブフレームであると決定される、
前記ＣＳＩ参照サブフレームにおいてＣＳＩを測定することと、
前記第２のＣＳＩサブフレームセット中のトリガリングサブフレームにおいて非周期ＣＳＩ要求を受信することと、前記トリガリングサブフレームが前記ＣＳＩ参照サブフレーム中またはその後にある、
を備える、ワイヤレス通信の方法。
【請求項２】
前記第１のＣＳＩサブフレームセットおよび前記第２のＣＳＩサブフレームセット中にただ２つのＣＳＩ参照サブフレームがある、請求項１に記載の方法。
【請求項３】
前記方法がユーザ機器（ＵＥ）によって実施されるもので、前記ＣＳＩ参照サブフレームが前記ＵＥの間欠受信（ＤＲＸ）アクティブ状態中にあるときのみ、前記ＣＳＩ参照サブフレームにおける前記ＣＳＩが測定され、前記方法は、前記ＣＳＩ参照サブフレームが前記ＵＥのＤＲＸアクティブ状態中にあるときのみ、前記ＣＳＩ参照サブフレームにおいて測定された前記ＣＳＩを報告することをさらに備える、請求項１に記載の方法。
【請求項４】
フレームのサブフレームの第１のセットを含む第１のチャネル状態情報（ＣＳＩ）サブフレームセットと、前記フレームのサブフレームの第２のセットを含む第２のＣＳＩサブフレームセットとを決定することと、サブフレームの前記第１のセット中のサブフレームがサブフレームの前記第２のセット中のサブフレームとは異なる、
前記第１のＣＳＩサブフレームセットおよび前記第２のＣＳＩサブフレームセットのうちの１つにおいてＣＳＩ参照サブフレームを決定することと、ここにおいて前記ＣＳＩ参照サブフレームは、無線リソース制御（ＲＲＣ）シグナリングを通して前記ＣＳＩ参照サブフレームの半静的構成を受信することによって、または前記ＣＳＩ参照サブフレームが、前記第１のＣＳＩサブフレームセットまたは前記第２のＣＳＩサブフレームセット内の第１のダウンリンクサブフレームであると決定される、
前記ＣＳＩ参照サブフレームにおいてＣＳＩを測定することと、
前記ＣＳＩ参照サブフレームのためにのみ前記測定されたＣＳＩを記憶することと、
前記第２のＣＳＩサブフレームセット中のトリガリングサブフレームにおいて非周期ＣＳＩ要求を受信することと、前記トリガリングサブフレームが前記ＣＳＩ参照サブフレーム中またはその後にある、
を備える、ワイヤレス通信の方法。
【請求項５】
時分割複信（ＴＤＤ）アップリンク／ダウンリンク構成を決定することと、
前記ＴＤＤアップリンク／ダウンリンク構成に基づいて、前記ＣＳＩ参照サブフレームが前記第１のＣＳＩサブフレームセットについてのものであるか前記第２のＣＳＩサブフレームセットについてのものであるかを決定することとをさらに備える、請求項４に記載の方法。
【請求項６】
前記第１のＣＳＩサブフレームセットが前記フレームのサブフレーム０、１、５、および６を含み、前記第２のＣＳＩサブフレームセットが前記フレームの少なくとも１つの他のサブフレームを含み、ここにおいて、前記ＴＤＤアップリンク／ダウンリンク構成がＴＤＤアップリンク／ダウンリンク構成０、１、３または６のうちの１つであるとき、前記ＣＳＩ参照サブフレームが前記第２のＣＳＩサブフレームセット内にあると決定され、およびここにおいて、前記ＴＤＤアップリンク／ダウンリンク構成がＴＤＤアップリンク／ダウンリンク構成２、４、または５のうちの１つであるとき、前記ＣＳＩ参照サブフレームが前記第１のＣＳＩサブフレームセット内にあると決定される、請求項５に記載の方法。
【請求項７】
前記方法がユーザ機器（ＵＥ）によって実施されるもので、前記ＣＳＩ参照サブフレームが前記ＵＥの間欠受信（ＤＲＸ）アクティブ状態中にあるときのみ、前記ＣＳＩ参照サブフレームにおける前記ＣＳＩが測定され、前記方法は、前記ＣＳＩ参照サブフレームが前記ＵＥのＤＲＸアクティブ状態中にあるときのみ、前記ＣＳＩ参照サブフレームにおいて測定された前記ＣＳＩを報告することをさらに備える、請求項４に記載の方法。
【請求項８】
メモリと、
前記メモリに結合された少なくとも１つのプロセッサとを備え、前記少なくとも１つのプロセッサは、
フレームのサブフレームの第１のセットを含む第１のチャネル状態情報（ＣＳＩ）サブフレームセットと、前記フレームのサブフレームの第２のセットを含む第２のＣＳＩサブフレームセットとを決定することと、サブフレームの前記第１のセット中のサブフレームがサブフレームの前記第２のセット中のサブフレームとは異なる、
前記第１のＣＳＩサブフレームセットおよび前記第２のＣＳＩサブフレームセットのうちの１つにおいてＣＳＩ参照サブフレームを決定することと、ここにおいて前記ＣＳＩ参照サブフレームは、無線リソース制御（ＲＲＣ）シグナリングを通して前記ＣＳＩ参照サブフレームの半静的構成を受信することによって、または前記ＣＳＩ参照サブフレームが、前記第１のＣＳＩサブフレームセットまたは前記第２のＣＳＩサブフレームセット内の第１のダウンリンクサブフレームであると決定される、
前記ＣＳＩ参照サブフレームにおいてＣＳＩを測定することと、
前記第２のＣＳＩサブフレームセット中のトリガリングサブフレームにおいて非周期ＣＳＩ要求を受信することと、前記トリガリングサブフレームが前記ＣＳＩ参照サブフレーム中またはその後にある、
を行うように構成される、ワイヤレス通信のための装置。
【請求項９】
前記第１のＣＳＩサブフレームセットおよび前記第２のＣＳＩサブフレームセット中にただ２つのＣＳＩ参照サブフレームがある、請求項８に記載の装置。
【請求項１０】
前記装置がユーザ機器（ＵＥ）によって実施されるもので、前記ＣＳＩ参照サブフレームが前記ＵＥの間欠受信（ＤＲＸ）アクティブ状態中にあるときのみ、前記ＣＳＩ参照サブフレームにおける前記ＣＳＩが測定され、前記少なくとも１つのプロセッサは、前記ＣＳＩ参照サブフレームが前記ＵＥのＤＲＸアクティブ状態中にあるときのみ、前記ＣＳＩ参照サブフレームにおいて測定された前記ＣＳＩを報告するようにさらに構成される、請求項８に記載の装置。
【請求項１１】
メモリと、
前記メモリに結合された少なくとも１つのプロセッサとを備え、前記少なくとも１つのプロセッサは、
フレームのサブフレームの第１のセットを含む第１のチャネル状態情報（ＣＳＩ）サブフレームセットと、前記フレームのサブフレームの第２のセットを含む第２のＣＳＩサブフレームセットとを決定することと、サブフレームの前記第１のセット中のサブフレームがサブフレームの前記第２のセット中のサブフレームとは異なる、
前記第１のＣＳＩサブフレームセットおよび前記第２のＣＳＩサブフレームセットのうちの１つにおいてＣＳＩ参照サブフレームを決定することと、ここにおいて前記ＣＳＩ参照サブフレームは、無線リソース制御（ＲＲＣ）シグナリングを通して前記ＣＳＩ参照サブフレームの半静的構成を受信することによって、または前記ＣＳＩ参照サブフレームが、前記第１のＣＳＩサブフレームセットまたは前記第２のＣＳＩサブフレームセット内の第１のダウンリンクサブフレームであると決定される、
前記ＣＳＩ参照サブフレームにおいてＣＳＩを測定することと、
前記ＣＳＩ参照サブフレームのためにのみ前記測定されたＣＳＩを記憶することと、
前記第２のＣＳＩサブフレームセット中のトリガリングサブフレームにおいて非周期ＣＳＩ要求を受信することと、前記トリガリングサブフレームが前記ＣＳＩ参照サブフレーム中またはその後にある、
を行うように構成される、ワイヤレス通信のための装置。
【請求項１２】
前記少なくとも１つのプロセッサは、
時分割複信（ＴＤＤ）アップリンク／ダウンリンク構成を決定することと、
前記ＴＤＤアップリンク／ダウンリンク構成に基づいて、前記ＣＳＩ参照サブフレームが前記第１のＣＳＩサブフレームセットについてのものであるか前記第２のＣＳＩサブフレームセットについてのものであるかを決定することとを行うようにさらに構成される、請求項１１に記載の装置。
【請求項１３】
前記第１のＣＳＩサブフレームセットが前記フレームのサブフレーム０、１、５、および６を含み、前記第２のＣＳＩサブフレームセットが前記フレームの少なくとも１つの他のサブフレームを含み、ここにおいて、前記ＴＤＤアップリンク／ダウンリンク構成がＴＤＤアップリンク／ダウンリンク構成０、１、３または６のうちの１つであるとき、前記ＣＳＩ参照サブフレームが前記第２のＣＳＩサブフレームセット内にあると決定され、およびここにおいて、前記ＴＤＤアップリンク／ダウンリンク構成がＴＤＤアップリンク／ダウンリンク構成２、４、または５のうちの１つであるとき、前記ＣＳＩ参照サブフレームが前記第１のＣＳＩサブフレームセット内にあると決定される、請求項１２に記載の装置。
【請求項１４】
前記装置がユーザ機器（ＵＥ）によって実施されるもので、前記ＣＳＩ参照サブフレームが前記ＵＥの間欠受信（ＤＲＸ）アクティブ状態中にあるときのみ、前記ＣＳＩ参照サブフレームにおける前記ＣＳＩが測定され、前記少なくとも１つのプロセッサは、前記ＣＳＩ参照サブフレームが前記ＵＥのＤＲＸアクティブ状態中にあるときのみ、前記ＣＳＩ参照サブフレームにおいて測定された前記ＣＳＩを報告するようにさらに構成される、請求項１１に記載の装置。